(57)【要約】【課題】対物レンズを用いて一眼カメラで顕微鏡撮影する場合、カメラのアクセサリーシューに取り付けたアクセサリーを利用し易い顕微鏡撮影ユニットを提供すること。【解決手段】カメラ２００に用いられる顕微鏡撮影ユニット１において、光入射側をカメラ２００側に向けた対物レンズ１００が取り付けられる雌ねじ８（対物レンズ取付手段）と、雌ねじ８に取り付けられた対物レンズ１００による結像光路１０２を折り曲げ、結像光路１０２の光軸である結像光軸Ｌ３をカメラ２００の撮影光軸Ｌ１に一致させる全反射ミラー５，６（結像光路折曲手段）とを有すること。【選択図】図３
2016133551.tif 000002
【特許請求の範囲】
【請求項１】
カメラに用いられる顕微鏡撮影ユニットにおいて、
光入射側を前記カメラ側に向けた対物レンズが取り付けられる対物レンズ取付手段と、
前記対物レンズ取付手段に取り付けられた前記対物レンズの結像光路を折り曲げ、前記結像光路の光軸である結像光軸を前記カメラの撮影光軸に一致させる結像光路折曲手段と、
を有することを特徴とする顕微鏡撮影ユニット。
【請求項２】
請求項１に記載の顕微鏡撮影ユニットにおいて、
前記対物レンズの光入射側に、撮影対象物を保持する撮影対象物保持手段が備えられている、
ことを特徴とする顕微鏡撮影ユニット。
【請求項３】
請求項２に記載の顕微鏡撮影ユニットにおいて、
前記撮影対象物保持手段を前記対物レンズに対して進退させる移動手段を有することを特徴とする顕微鏡撮影ユニット。
【請求項４】
請求項１から３のいずれか１項に記載の顕微鏡撮影ユニットにおいて、
前記顕微鏡撮影ユニットの前記カメラが配置される側と反対側となる前端部には、前記カメラが取り付けられた状態で、前記カメラを上側に、前記顕微鏡撮影ユニットを下側にした状態で、自立させることができる支持部が備えられている、
ことを特徴とする顕微鏡撮影ユニット。
【請求項５】
請求項１から４のいずれか１項に記載の顕微鏡撮影ユニットにおいて、
前記対物レンズ取付手段および前記結像光路折曲手段が備えられる光学系保持筐体と、
前記光学系保持筐体と前記カメラとを接続する取付アダプターとを有し、
前記光学系保持筐体は、前記取付アダプターに対し着脱可能である、
ことを特徴とする顕微鏡撮影ユニット。
【請求項６】
請求項１から５のいずれか１項に記載の顕微鏡撮影ユニットにおいて、
前記結像光路折曲手段は、
前記結像光軸を前記撮影光軸と交差させる方向に、前記結像光路を折り曲げる全反射ミラーと、
前記全反射ミラーで折り曲げられた前記結像光路の前記結像光軸を前記撮影光軸と一致させるハーフミラーと、
を有することを特徴とする顕微鏡撮影ユニット。
【請求項７】
請求項１から５のいずれか１項に記載の顕微鏡撮影ユニットにおいて、
前記結像光路折曲手段は、
前記結像光軸を前記撮影光軸と交差する方向に、前記結像光路を折り曲げるダイクロイックミラーと、
前記ダイクロイックミラーで折り曲げられた前記結像光路の前記結像光軸を前記撮影光軸と一致させる全反射ミラーと、
前記ダイクロイックミラーを挟んで前記対物レンズの反対側に配置される第１の光学フィルターと、
前記ダイクロイックミラーと前記全反射ミラーとの間に配置される第２の光学フィルターと、
を有することを特徴とする顕微鏡撮影ユニット。
【発明の詳細な説明】
【技術分野】
【０００１】
本発明は、顕微鏡撮影ユニットに関する。
【背景技術】
【０００２】
従来、特許文献１に開示されるように、一眼カメラで顕微鏡撮影を行うことができるように、対物レンズが取り付け可能な一眼カメラ用交換レンズ鏡筒が知られている。
【先行技術文献】
【特許文献】
【０００３】
【特許文献１】特開２００９−１３３９１９号公報
【発明の概要】
【発明が解決しようとする課題】
【０００４】
しかしながら、撮影対象が微小である顕微鏡撮影を行う場合、一眼カメラ用交換レンズ鏡筒を一眼カメラに取り付けた状態において一眼カメラの取り扱い性が悪いと、撮影に手間取ったり、撮影される像の画質が低下し易い。そこで、本発明は、対物レンズを用いてカメラで顕微鏡撮影を行う際に、カメラの取り扱い性の低下を抑えることができる顕微鏡撮影ユニットを提供することを目的とする。
【課題を解決するための手段】
【０００５】
上記課題を解決するため、カメラに用いられる顕微鏡撮影ユニットにおいて、光入射側をカメラ側に向けた対物レンズが取り付けられる対物レンズ取付手段と、対物レンズ取付手段に取り付けられた対物レンズによる結像光路を折り曲げ、結像光路の光軸である結像光軸をカメラの撮影光軸に一致させる結像光路折曲手段とを有することとする。
【０００６】
上記発明において、対物レンズの光入射側に、撮影対象物を保持する撮影対象物保持手段が備えられていることとする。
【０００７】
上記発明において、撮影対象物保持手段を対物レンズに対して進退させる移動手段を有することとする。
【０００８】
上記発明において、顕微鏡撮影ユニットのカメラが配置される側と反対側となる前端部には、カメラが取り付けられた状態で、カメラを上側に、顕微鏡撮影ユニットを下側にした状態で、自立させることができる支持部が備えられていることとする。
【０００９】
上記発明において、対物レンズ取付手段および結像光路折曲手段が備えられる光学系保持筐体と、光学系保持筐体とカメラとを接続する取付アダプターとを有し、光学系保持筐体は、取付アダプターに対し着脱可能であることとする。
【００１０】
上記発明において、結像光路折曲手段は、結像光軸を撮影光軸と交差させる方向に、結像光路を折り曲げる全反射ミラーと、全反射ミラーで折り曲げられた結像光路の結像光軸を撮影光軸と一致させるハーフミラーとを有することとする。
【００１１】
上記発明において、結像光路折曲手段は、結像光軸を撮影光軸と交差する方向に、結像光路を折り曲げるダイクロイックミラーと、ダイクロイックミラーで折り曲げられた結像光路の結像光軸を撮影光軸と一致させる全反射ミラーと、ダイクロイックミラーを挟んで対物レンズの反対側に配置される第１の光学フィルターと、ダイクロイックミラーと全反射ミラーとの間に配置される第２の光学フィルターとを有することとする。
【発明の効果】
【００１２】
本発明によれば、対物レンズを用いてカメラで顕微鏡撮影を行う際に、カメラの取り扱い性の低下を抑えることができる顕微鏡撮影ユニットを提供することができる。
【図面の簡単な説明】
【００１３】
【図１】本発明の実施の形態に係る顕微鏡撮影ユニットに対物レンズを取り付け、対物レンズを取り付けた顕微鏡撮影ユニットが一眼カメラに装着された状態を示す図である。
【図２】カメラと、光学系保持筐体と、取付アダプターとを互いに分割した状態を示す図である。
【図３】顕微鏡撮影ユニットの内部に配置される光学系の概略の構成を示す図である。
【図４】結像光軸を含む上下方向に沿う面における取付アダプターの断面の概略の構成を示す図である。
【図５】筒体からカバーを取り外し、移動機構の概略の構成を上方から見た図である。
【図６】カメラが取り付けられた状態の顕微鏡撮影ユニットを、設置面に自立させた状態を示す図である。
【図７】光学系保持筐体の前端に突起部を備えた構成を示す図である。
【図８】光学系保持筐体の変形例１を示す図である。
【図９】光学系保持筐体の変形例２を示す図である。
【図１０】カメラのアクセサリーシューに、クリップアームを保持させた状態を示す図である。
【図１１】カメラのアクセサリーシューに、照明装置を保持させた状態を示す図である。
【図１２】ステージの構成の変形例を示す図である。
【図１３】顕微鏡撮影ユニットに、補正用アダプターを備えた構成を示す図である。
【図１４】顕微鏡撮影ユニットの光学系を無限遠補正光学系としたときの構成を示す図である。
【図１５】ステージのステージ保持部に対する前後方向の取り付け位置を変更するための構成を示す図である。
【図１６】ステージ保持部に照明装置を取り付けた構成を示す図である。
【発明を実施するための最良の形態】
【００１４】
以下、図を用いて本発明の実施の形態について説明する。
【００１５】
（顕微鏡撮影ユニット１の全体構成）
図１は、本発明の実施の形態に係る顕微鏡撮影ユニット１に対物レンズ１００を取り付け、対物レンズ１００を取り付けた顕微鏡撮影ユニット１が一眼カメラ（以下、単に「カメラ」と記載する。）２００に装着された状態を示す図である。以下の説明において、カメラ２００の撮影光軸Ｌ１を水平にした状態で、被写体に向かう方向Ｘ１を前方（前側）、被写体からカメラ２００に向かう方向Ｘ２を後方（後側）とし、また、カメラ２００から被写体に向かって右手方向Ｙ１を右方（右側）、左手方向Ｙ２を左方（左側）とし、そして、水平面を基準に上方（上側）Ｚ１、下方（下側）Ｚ２として説明を行う。したがって、図１は、顕微鏡撮影ユニット１を左斜め上方から見た図である。なお、顕微鏡撮影ユニット１は、対物レンズ１００とカメラ２００とを接続し、カメラ２００を用いて顕微鏡撮影を可能にする顕微鏡撮影用アダプターとして機能するものである。
【００１６】
顕微鏡撮影ユニット１は、光学系保持筐体２と、取付アダプター３とを有す。光学系保持筐体２は、取付アダプター３を介してカメラ２００に対して取り付けられる。顕微鏡撮影ユニット１は、対物レンズ１００の光入射側を後方（カメラ２００側）に向けてカメラ２００に取り付けられる。また、顕微鏡撮影ユニット１は、対物レンズ１００のレンズ光軸Ｌ２を撮影光軸Ｌ１に対して平行にカメラ２００に取り付けられる。
【００１７】
図２に示すように、カメラ２００と、光学系保持筐体２と、取付アダプター３とは互いに着脱可能である。つまり、光学系保持筐体２は、取付アダプター３に対して、たとえば、図示を省略するねじ込み機構あるいはバヨネット機構等の連結機構により着脱可能である。また、取付アダプター３は、カメラ２００に対して、たとえば、図示を省略するねじ込み機構あるいはバヨネット機構等の連結機構により着脱可能である。
【００１８】
取付アダプター３は、撮影対象物を保持することができる撮影対象物保持手段４を備えている。カメラ２００に取り付けられた顕微鏡撮影ユニット１は、対物レンズ１００に入射した被写体光をカメラ２００の撮像面（あるいはフィルム面）に対して所定の位置に結像させることができる。本実施の形態に示す顕微鏡撮影ユニット１は、撮影対象物保持手段４に保持された撮影対象物の被写体光をカメラ２００の撮像面（あるいはフィルム面）に結像させることができる。
【００１９】
（光学系保持筐体２の構成）
図３は、顕微鏡撮影ユニット１の内部に配置される光学系の概略の構成を示す図である。光学系保持筐体２は、図３に示すように、結像光路折曲手段としての全反射ミラー５と、全反射ミラー６とを有する。全反射ミラー５および全反射ミラー６は、光学系保持筐体２の内部に保持されている。
【００２０】
光学系保持筐体２の後側に配置される後面２Ａには、対物レンズ１００が取り付けられる対物レンズ取付手段としての雌ねじ８が備えられている。雌ねじ８は、後方に向けてねじ孔が開口し、対物レンズ１００の雄ねじ１０１は、後方から雌ねじ８にねじ結合させることができる。つまり、対物レンズ１００は、後方、すなわちカメラ２００側に被写体光の光入射側を向けて光学系保持筐体２に取り付けられる。
【００２１】
全反射ミラー５および全反射ミラー６により、対物レンズ１００の結像光路１０２の光軸である結像光軸Ｌ３を撮影光軸Ｌ１に一致させ、対物レンズ１００からの被写体光をカメラ２００に入射させることができる。具体的には、全反射ミラー５は、対物レンズ１００のレンズ光軸Ｌ２に対して反射面を４５度で交差させ、結像光軸Ｌ３を撮影光軸Ｌ１に交差させるように下方に直角に折り曲げる。そして、全反射ミラー６は、撮影光軸Ｌ１に対して反射面を４５度で交差させ、全反射ミラー５で折り曲げられた結像光軸Ｌ３を撮影光軸Ｌ１と一致するように後方に折り曲げる。
【００２２】
（取付アダプター３の構成）
取付アダプター３は、筒体９と、撮影対象物保持手段４を前後に移動させることができる移動手段である移動機構１０（図４，５参照）を備える。図４，５を参照しながら、移動機構１０を中心に取付アダプター３の構成について説明する。図４は、結像光軸Ｌ３を含む上下方向に沿う面における取付アダプター３の断面の概略の構成を示す図である。図５は、筒体９からカバー４Ａ（図１，２，３等参照）を取り外し、移動機構１０の概略の構成を上方から見た図である。図５においては、移動機構１０の構成を判り易くするため、ステージ２０およびステージ保持部２１については図示を省略している。
【００２３】
移動機構１０は、操作環１１と、リードねじ１２と、ガイドバー１３と、連結部１４とを有する。筒体９の外周面には、周方向に沿って凹部１５（図４参照）が形成されている。操作環１１は、筒体９の周囲に回転可能に、凹部１５内に嵌められている。操作環１１の外周には、ラックギア１６が設けられている。
【００２４】
リードねじ１２は、筒体９の前後に設けられるリードねじ支持部１７Ａ，１７Ｂに回転可能に支持されている。リードねじ１２の一部には、操作環１１に設けられるラックギア１６に噛み合うラックギア１８が設けられている。リードねじ１２には、ラックギア１８の後方にネジ部１９が設けられている。
【００２５】
ガイドバー１３は、リードねじ１２と平行に、リードねじ１２の左右に配置されている。ガイドバー１３は、リードねじ支持部１７Ａ，１７Ｂに支持されている。
【００２６】
撮影対象物保持手段４は、ステージ２０と、ステージ保持部２１と、連結部１４とを有する。連結部１４は、ステージ保持部２１に取り付けられている。連結部１４は、リードねじ１２のネジ部１９にねじ結合するねじ孔２２と、ガイドバー１３が挿入されるガイド受け孔２３とを有する。連結部１４は、ガイド受け孔２３にガイドバー１３が挿通されることで、ガイドバー１３により、前後方向にガイドされ、また、周方向への回転を規制される。したがって、リードねじ１２が回転させられると、ステージ保持部２１は、リードねじ１２の回転方向と回転量に応じて前後に移動する。
【００２７】
操作環１１とリードねじ１２とは、ラックギア１６とラックギア１８とで噛み合っている。したがって、操作環１１を回転操作することによりリードねじ１２が回転し、ステージ保持部２１が前後に移動させられる。すなわち、操作環１１を回転操作することにより撮影対象物保持手段４を前後に移動させることができる。
【００２８】
撮影対象物保持手段４は、リードねじ支持部１７Ａ，１７Ｂに支持されるリードねじ１２およびガイドバー１３を介して筒体９に取り付けられている。つまり、撮影対象物保持手段４は、取付アダプター３に一体的に備えられている。したがって、顕微鏡撮影ユニット１がカメラ２００に装着された状態で、撮影対象物保持手段４とカメラ２００とは一体的になる。
【００２９】
なお、ガイドバー１３は、レールとしてもよい。この場合には、連結部１４とガイドバー１３に代わるレールとは、アリ溝とアリ型との関係で連結することが好ましい。
【００３０】
ステージ保持部２１の上面には、溝部２４が設けられている。溝部２４は、溝の方向を左右方向に向け、前後に複数設けられている。ステージ２０の基部２５には、溝部２４に嵌合できる凸部２５Ａが設けられている。ステージ２０は、凸部２５Ａを溝部２４に嵌合させることで、ステージ保持部２１に保持される（取り付けられる）。
【００３１】
凸部２５Ａは溝部２４に対して着脱可能である。したがって、溝部２４が設けられている範囲で、ステージ２０は、ステージ保持部２１に対して前後方向について適宜の位置に配置できる。溝部２４と凸部２５Ａとは、アリ溝とアリ型の関係を有し、ステージ２０は、ステージ保持部２１から上方に抜けない構成となっている。ステージ２０は、溝部２４の溝方向に沿って、ステージ保持部２１に対して着脱することができる。
【００３２】
ステージ２０は、枠部２６と抑えバネ２７とを有する。抑えバネ２７は、枠部２６に当接した状態で枠部２６側に付勢されている。したがって、枠部２６と抑えバネ２７との間にプレパラートガラスを挟み込むことで、プレパラートガラスをステージ２０に保持させることができる。
【００３３】
（顕微鏡撮影ユニット１を用いた基本的な顕微鏡撮影の行い方）
顕微鏡撮影ユニット１を用いた基本的な顕微鏡撮影の使い方を説明する。図１に示すように、顕微鏡撮影ユニット１をカメラ２００に取り付けると共に、対物レンズ１００を顕微鏡撮影ユニット１に取り付けた状態とする。この状態で、操作者は、撮影対象物が載せられたプレパラートガラスをステージ２０に保持する。対物レンズ１００に入射した被写体光は、全反射ミラー５および全反射ミラー６で折り曲げられ、カメラ２００の撮像面に結像する。
【００３４】
操作者が、操作環１１を回転操作することで、ステージ２０を対物レンズ１００に対して前後に移動（進退）させることができる。操作者は、カメラ２００のファインダあるいはモニターを介して、被写体光の結像状態を確認することができる。したがって、操作者は、被写体光の結像状態をファインダ（モニター）で確認しながら操作環１１を回転操作し、被写体光の合焦状態を調節することができる。操作者は、被写体光の合焦状態を調節した後、シャッタをきることで撮影対象物を撮影できる。また、操作者は、シャッタを切ることなく撮影対象物を観察することもできる。
【００３５】
光学系保持筐体２の前端には、支持部としての支持面２Ｂが設けられている。支持面２Ｂは、平面である。そして、支持面２Ｂは、図６に示すように、カメラ２００が取り付けられた状態の顕微鏡撮影ユニット１を、設置面（机上面等）４００に自立させることができる大きさおよび形状に構成されている。顕微鏡撮影ユニット１にカメラ２００を取り付けた状態で、支持面２Ｂを下にして設置面４００に自立させると、顕微鏡撮影ユニット１とカメラ２００とで倒立型顕微鏡が構成される。
【００３６】
光学系保持筐体２に支持面２Ｂを備えることで、上述したように、カメラ２００が取り付けられた状態の顕微鏡撮影ユニット１は、支持面２Ｂを下に向けて設置面４００に自立することができる。支持面２Ｂを下に向けて自立した顕微鏡撮影ユニット１のステージ２０に保持されたプレパラートガラスの後面は水平に配置される。したがって、プレパラートガラスの後面（上側面）に撮影対象物を載せることができる。プレパラートガラスの後面に、たとえば、水棲生物を載置すれば、プレパラートガラスの下側から水棲生物を顕微鏡撮影あるいは顕微鏡観察（以下、単に「顕微鏡撮影等」と記載する）することができる。
【００３７】
設置面４００に顕微鏡撮影ユニット１を支持する機構は、支持面２Ｂに限らない。たとえば、図７に示すように、光学系保持筐体２の前端の３か所に突起部２８を備え、この突起部２８を支持部としてもよい。突起部２８を支持部とすることにより、設置面４００に凹凸があっても、カメラ２００が取り付けられた状態の顕微鏡撮影ユニット１を安定して自立させることができる。
【００３８】
（光学系保持筐体の変形例１）
顕微鏡撮影ユニット１は、光学系保持筐体２に換えて、図８に示す光学系保持筐体５０を取付アダプター３に取り付けた構成としてもよい。なお、上述した顕微鏡撮影ユニット１と同様の構成部分は同一の符号を付し、説明を省略または簡略化する。光学系保持筐体５０は、結像光路折曲手段５１を備える。結像光路折曲手段５１は、全反射ミラー５２と、ハーフミラー５３とを有する。
【００３９】
全反射ミラー５２は、対物レンズ１００のレンズ光軸Ｌ２に対して反射面を４５度で交差させ、結像光軸Ｌ３を撮影光軸Ｌ１と交差させるように下方に直角に折り曲げる。ハーフミラー５３は、撮影光軸Ｌ１に対して反射面を４５度で交差させ、全反射ミラー５２で折り曲げられた結像光軸Ｌ３を撮影光軸Ｌ１と一致するように後方に折り曲げる。
【００４０】
ハーフミラー５３は、反射面の背面から全反射ミラー５２に向けて全反射ミラー５２で折り曲げられた結像光軸Ｌ３と同軸上に照明光を透過させることができる。ハーフミラー５３を透過した照明光は、全反射ミラー５２で反射され撮影対象物保持手段４に保持される撮影対象物を照明することができる。つまり、撮影対象物を同軸落射照明することができる。
【００４１】
図８に示すように、光学系保持筐体５０は、ハーフミラー５３と平行に配置される全反射ミラー５４を備えている。全反射ミラー５４を備えることで、撮影光軸Ｌ１に平行に後方から前方に向けて照明光をハーフミラー５３側に反射させることができる。光学系保持筐体５０には、照明装置５５を取り付けることができる。照明装置５５から照射された光は、全反射ミラー５４でハーフミラー５３側に反射させられる。照明装置５５は、電池収容部５６を有し、電池収容部５６の長手方向が撮影光軸Ｌ１と平行に配置されている。
【００４２】
（光学系保持筐体の変形例２）
顕微鏡撮影ユニット１は、光学系保持筐体２あるいは光学系保持筐体５０に換えて、図９に示す光学系保持筐体６０を取付アダプター３に取り付けた構成としてもよい。なお、上述した顕微鏡撮影ユニット１と同様の構成部分は同一の符号を付し、説明を省略または簡略化する。光学系保持筐体６０は、結像光路折曲手段６１を備える。結像光路折曲手段６１は、ダイクロイックミラー６２と、第１の光学フィルター６３と、第２の光学フィルター６４と、全反射ミラー６５と、全反射ミラー６６と、照明装置６７とを有する。
【００４３】
ダイクロイックミラー６２は、対物レンズ１００のレンズ光軸Ｌ２に対して反射面を４５度で交差させ、結像光軸Ｌ３を撮影光軸Ｌ１と交差させるように下方に直角に折り曲げる。全反射ミラー６５は、撮影光軸Ｌ１に対して反射面を４５度で交差させ、ダイクロイックミラー６２で折り曲げられた結像光軸Ｌ３を撮影光軸Ｌ１と一致するように後方に折り曲げる。全反射ミラー６６は、照明装置６７から照射された照明光をダイクロイックミラー６２に向けて反射させる。
【００４４】
第１の光学フィルター６３は、ダイクロイックミラー６２を挟んで対物レンズ１００の反対側であって、ダイクロイックミラー６２と全反射ミラー６６との間に配置されている。第２の光学フィルター６４は、ダイクロイックミラー６２と全反射ミラー６５との間に配置されている。
【００４５】
第１の光学フィルター６３は、励起フィルターであり、蛍光物質の励起に必要な波長の光を照明光から抽出することができる。第２の光学フィルター６４は、吸収フィルターであり、撮影対象物から発せられた蛍光とその他の不要な散乱光などを分離することができる。ダイクロイックミラー６２は、第１の光学フィルター６３を透過した光を透過し、撮影対象物から発せられた蛍光を反射できる光学特性を有する。
【００４６】
上述の構成を有する光学系保持筐体６０を顕微鏡撮影ユニット１に備えることで、顕微鏡撮影ユニット１とカメラ２００とで蛍光顕微鏡が構成される。また、ダイクロイックミラー６２を透過させて励起光を撮影対象物に照射するため、撮影対象物を同軸落射照明することができる。
【００４７】
（本実施の形態の主な効果）
上述したように、顕微鏡撮影ユニット１は、対物レンズ１００をカメラ２００に装着するためのアダプターとして機能する。つまり、顕微鏡撮影ユニット１を介して対物レンズ１００が取り付けられたカメラ２００は、撮影対象物を顕微鏡撮影することができ、また、カメラ２００のファインダ（モニター）を介して撮影対象物を顕微鏡観察することができる。
【００４８】
顕微鏡撮影ユニット１は、光入射側をカメラ２００側に向けた対物レンズ１００を取り付けられることができる対物レンズ取付手段としての雌ねじ８を有している。また、顕微鏡撮影ユニット１は、結像光路折曲手段としての全反射ミラー５および全反射ミラー６とを有する。全反射ミラー５および全反射ミラー６は、雌ねじ８に取り付けられた対物レンズ１００による結像光路１０２を折り曲げ、結像光路１０２の光軸である結像光軸Ｌ３をカメラ２００の撮影光軸Ｌ１に一致させる。
【００４９】
顕微鏡撮影ユニット１は上述の構成を有することにより、対物レンズ１００を用いてカメラ２００で顕微鏡撮影等を行う際に、カメラの取り扱い性の低下を抑えることができる。たとえば、顕微鏡撮影ユニット１は上述の構成を有することにより、対物レンズ１００を後方、すなわち、カメラ２００側に向けることができる。そのため、図１０に示すように、カメラ２００のアクセサリーシュー２０１に、たとえば、クリップアーム３０１を保持させ、このクリップアーム３０１に撮影対象物を保持させることで、顕微鏡撮影等を行うことができる。また、図１１に示すように、カメラ２００のアクセサリーシュー２０１に、たとえば、照明装置３０２を保持させ、撮影対象物保持手段４に保持された撮影対象物を照明装置３０２により照明することができる。つまり、対物レンズ１００の光入射側を後方に向けることで、カメラ２００を用いて顕微鏡撮影等を行う際にアクセサリーシュー２０１を使い勝手よく用いることができるため、カメラの取り扱い性の低下が抑えられる。
【００５０】
なお、対物レンズ１００の光入射側を前方に向けた構成としても、アクセサリーシュー２０１にクリップアーム３０１や照明装置３０２を取り付けて使用することができる。しかしながら、このような構成とした場合には、クリップアーム３０１のアーム部３０１Ａや照明装置３０２のアーム部３０２Ａを長く構成する必要がある。顕微鏡撮影等においては、被写界深度が浅く、また、撮影範囲も狭いことから、撮影対象物や照明の位置は極力動かないことが好ましい。つまり、アーム部３０１Ａ，３０２Ａが長くなると、撮影対象物の位置や照明の位置が動き易くなり好ましくない。これに対し、顕微鏡撮影ユニット１の構成のように対物レンズ１００の光入射側を後方に向けることで、アーム部３０１Ａ，３０２Ａの長さを短くでき、撮影対象物の位置や照明の位置を移動し難くできる。そのため、アクセサリーシュー２０１を効果的に（使い勝手良く）用いることができる。
【００５１】
本発明は、アクセサリーシューを備えるカメラに用いられることに限定されるものではない。たとえば、カメラのボディに直接、クリップアーム３０１や照明装置３０２を保持させる場合のように、カメラにアクセサリーシューを備えていないカメラに対して、あるいはアクセサリーシューを使用しない場合であっても、顕微鏡撮影ユニット１を用いることで、顕微鏡撮影等の作業性を向上させることができ、あるいは、撮影の画質（ピント合わせ、手振れ、明るさの確保）を向上させることができる。
【００５２】
写真機を取り付け可能な顕微鏡は、大型で重く持ち運びの自由度が小さい。また、持ち運びし易い小型の顕微鏡は、目で覗く機能に特化した構造である。そのため、写真機を取り付け難い。接眼レンズを外してそこに光学アダプターを介しデジタルカメラを取り付ける方法を採ることもできるが、バランスが悪く使い勝手が悪い。
【００５３】
しかしながら、顕微鏡撮影ユニット１を用いることで市販のデジタルカメラを使用して顕微鏡撮影あるいは観察を行うことができる。特に、観察に際しては、デジタルカメラに備えられている液晶モニターに観察像を表示できるため目で覗き込む必要がない。また、使用するデジタルカメラが高感度な場合は、肉眼で見るよりも遥かに明るい映像で観察することができる。また、デジタルカメラのデジタルズーム機能を用いることで、レンズ交換しなくとも、液晶モニター上で簡易的に拡大像を観察できる。また、Ｗｉ−Ｆｉ機能を内蔵するデジタルカメラを用いれば、スマートフォンと連携し撮影した画像を屋外であってもスマートフォン上のアプリケーションで編集、メール送信やＳＮＳでのデータ共有等、様々な方面で即時的に画像を活用することが可能になる。
【００５４】
また、顕微鏡撮影ユニット１は、対物レンズ１００の光入射側に、撮影対象物を保持する撮影対象物保持手段４を備えている。
【００５５】
撮影対象物保持手段４が対物レンズ１００の光入射側に配置されている。そのため、撮影対象物保持手段４に保持された撮影対象物を顕微鏡撮影等する際に、アクセサリーシュー２０１に取り付けたアクセサリーを活用し易い。
【００５６】
顕微鏡撮影等における被写界深度は極めて浅く、また、撮影範囲も極めて狭い。そのため、撮影対象物と対物レンズとの位置合わせを高い精度で行う必要がある。この点に関し、特許文献１に開示される一眼カメラ用交換レンズ鏡筒を用いて顕微鏡撮影等を行う場合、操作者は、対物レンズを撮影対象物に対して所定の位置（撮影対象物が被写界深度内、かつ、撮影範囲内に配置される位置）に配置させるように、手に保持するカメラの位置決めを行う必要があり、この位置決めには高い熟練を要する。
【００５７】
これに対し、顕微鏡撮影ユニット１は、撮影対象物保持手段４を顕微鏡撮影ユニット１に対して一体的に備えている。そのため、顕微鏡撮影ユニット１をカメラ２００に装着すると、撮影対象物保持手段４とカメラ２００とについても一体的になる。つまり、撮影対象物保持手段４と対物レンズ１００との相対位置は、移動機構１０により撮影対象物保持手段４を移動させない限り固定される。したがって、カメラ２００を保持する操作者の熟練の程度に拘わりなく、撮影対象物保持手段４と対物レンズ１００との位置関係が所定の位置関係に保たれる。顕微鏡撮影ユニット１を用いることにより、撮影対象物に対する対物レンズ１００の位置決めに際し、操作者は、手に保持したカメラ２００を撮影対象物に対して位置決めする必要がなく、そのため、手振れによる像ブレの発生を抑えることができる。
【００５８】
本発明は、アクセサリーシューを備えるカメラに用いられることに限定されるものではない。顕微鏡撮影ユニット１は、上述のように、撮影対象物保持手段４が顕微鏡撮影ユニット１に対して一体的に備えられている。そのため、カメラにアクセサリーシューを備えていないカメラに対して、あるいはアクセサリーシューを使用しない場合であっても、顕微鏡撮影ユニット１を用いることで、撮影対象物に対する対物レンズ１００の位置決めに際し、操作者は、手に保持したカメラ２００を撮影対象物に対して位置決めする必要がなく、そのため、手振れによる像ブレの発生を抑えることができる。位置決めする必要がないため、カメラ２００の使い勝手が良い。
【００５９】
顕微鏡撮影ユニット１は、撮影対象物保持手段４を対物レンズ１００に対して進退させる移動手段としての移動機構１０を有する.
【００６０】
移動機構１０を有することで、観察対象物の結像の合焦状態を調節することができる。上述したように、撮影対象物保持手段４は、顕微鏡撮影ユニット１に固定されている。したがって、観察対象物の結像の合焦状態の調節に際しては、移動機構１０を利用して撮影対象物保持手段４を対物レンズ１００に対して進退させるのみで合焦状態を調整できる。このため、カメラ２００を撮影対象物に対して位置合わせする必要はなく、合焦状態の調節を容易に行うことができる。
【００６１】
顕微鏡撮影ユニット１は、カメラ２００が配置される側と反対側となる前端には、カメラ２００が取り付けられた状態で、カメラ２００を上側に、顕微鏡撮影ユニット１を下側にした状態で、顕微鏡撮影ユニット１を自立させることができる支持部としての支持面２Ｂが備えられている。
【００６２】
顕微鏡撮影ユニット１は、支持面２Ｂを備えることで、ステージ２０に保持されたプレパラートガラスの後面に載置された撮影対象物を上側に配置し、また、カメラ２００も顕微鏡撮影ユニット１の上側に配置した状態で、撮影対象物の顕微鏡撮影等を行うことができる。したがって、プレパラートガラスの後面に、たとえば、水棲生物を載置すれば、プレパラートガラスの下側から水棲生物を顕微鏡撮影等することができる。
【００６３】
顕微鏡撮影ユニット１は、取付アダプター３を有し、取付アダプター３に対して、光学系保持筐体２，５０，６０が着脱可能である。
【００６４】
したがって、顕微鏡撮影ユニット１は、顕微鏡撮影等の目的に適した、光学系保持筐体２，５０，６０を用いることができる。
【００６５】
光学系保持筐体５０に備えられる結像光路折曲手段５１は、全反射ミラー５２と、ハーフミラー５３とを有する。全反射ミラー５２は、結像光軸Ｌ３を撮影光軸Ｌ１と交差させる方向に、結像光路１０２を折り曲げる。ハーフミラー５３は、全反射ミラー５２で折り曲げられた結像光路１０２の結像光軸Ｌ３を撮影光軸Ｌ１と一致させるように被写体光を反射させる。
【００６６】
このように結像光路折曲手段５１を構成した場合には、ハーフミラー５３の背面から照明光を全反射ミラー５２側に透過させることができ、撮影対象物を同軸落射照明することができる。
【００６７】
光学系保持筐体６０に備えられる結像光路折曲手段６１は、ダイクロイックミラー６２と、第１の光学フィルター６３と、第２の光学フィルター６４と、全反射ミラー６５と、全反射ミラー６６とを有する。第１の光学フィルター６３は、励起フィルターであり、第２の光学フィルター６４は、吸収フィルターである。ダイクロイックミラー６２は、第１の光学フィルター６３を透過した光を透過し、撮影対象物から発せられた蛍光を反射できる光学特性を有する。結像光路折曲手段６１をこのように構成することで、カメラ２００による蛍光撮影あるいは蛍光観察が可能となる。また、ダイクロイックミラー６２を透過させて励起光を撮影対象物に照射することで、撮影対象物を同軸落射照明することができる。
【００６８】
ステージ保持部２１には、前後方向に複数の溝部２４が設けられている。したがって、ステージ２０のステージ保持部２１に対する前後方向の取り付け位置を変更することができる。このため、対物レンズ１００の全長に応じて、適宜の箇所にステージ２０を配置することができる。
【００６９】
ステージ２０は、枠部２６および抑えバネ２７に換えて、図１２に示すように、クリップ７０を備える構成としてよい。
【００７０】
上述の顕微鏡撮影ユニット１は、光学系保持筐体２を取付アダプター３に対して着脱自在とした構成を示したが、取付アダプター３を備えない構成としてもよい。この場合には、光学系保持筐体２の前後方向の長さを、対物レンズ１００のバックフォーカス長に対応させ、光学系保持筐体２をカメラ２００に直接取り付ける。この構成の場合、撮影対象物保持手段４は、光学系保持筐体２に備えることが好ましい。
【００７１】
なお、光学系保持筐体２と取付アダプター３とを着脱自在の構成とすることで、対物レンズ１００のバックフォーカス長に応じた取付アダプター３を用いることができる。つまり、光学系保持筐体２に装着できる対物レンズ１００のバックフォーカス長の制限を少なくすることができる。
【００７２】
顕微鏡撮影ユニット１は、図１３に示すように、結像光路１０２中に補正用アダプター８０を備えることができる構成としてもよい。補正用アダプター８０は、対物レンズ１００の収差の補正、あるいはケラレを解消するための補正レンズを備える。顕微鏡撮影ユニット１を、補正用アダプター８０を備えることができる構成とした場合、補正用アダプター８０の補正レンズよりも前方に、対物レンズ１００の被写体光を中間像として結像させる。補正用アダプター８０の補正レンズは、対物レンズ１００による中間像をカメラ２００の撮像面に結像させる。なお、取付アダプター３あるいは光学系保持筐体２に補正レンズを備える構成としてもよい。
【００７３】
上述した顕微鏡撮影ユニット１の光学系は有限遠補正光学系であり、対物レンズ１００は、有限遠補正光学系に対応した構成である。これに対し、図１４に示すように、結像レンズ９０を備え、顕微鏡撮影ユニット１の光学系を無限遠補正光学系とすれば、対物レンズ１００を無限遠補正光学系に対応した構成とすることができる。
【００７４】
ステージ２０のステージ保持部２１に対する前後方向の取り付け位置の変更は、図１５に示す構成により行うこととしてもよい。つまり、ステージ保持部２１の側面にガイド溝９１を設け、このガイド溝９１にステージ２０の基部２５に設けられる突起部２５Ｂを嵌合させ、ステージ２０をガイド溝９１に沿って前後させることができる構成としてもよい。このように構成することで、ステージ２０のステージ保持部２１に対する前後方向の位置を無段階に変更することができる。固定ねじ９２は突起部２５Ｂにねじ着され、固定ねじ９２の先端は、突起部２５Ｂを貫通しガイド溝９１に到達している。したがって、固定ねじ９２の突起部２５Ｂへのねじ込み量を調整することで、ステージ２０のステージ保持部２１への固定と移動可能状態とを選択することができる。
【００７５】
図１６に示すように、ステージ保持部２１に照明装置３０３を取り付ける構成としても良い。照明装置３０３は、ステージ保持部２１に設けられる照明保持部３０４に取り付けられる。照明装置３０３の電源は、図１６に示すようにアクセサリーシュー２０１から得ても良いし、照明装置３０３に電池を保持させることにより得ても良い。
【００７６】
ステージ保持部２１に照明装置３０３を取り付ける構成とした場合には、ステージ２０に保持された撮影対象物と照明装置３０３との間の距離を一定に保つことができる。そのため、被写体光の合焦状態の調節等のためにステージ２０を前後に移動した場合であっても、撮影対象物の照明状態を一定に保持することができる。照明装置３０３が照明光を集光させるためのコンデンサレンズを備える場合には、撮影対象物と照明装置３０３との間の距離の増減により照明状態が変化し易い。しかしながら、上述したように、ステージ保持部２１に照明装置３０３を取り付ける構成とすることで、照明装置３０３が照明光を集光させるためのコンデンサレンズを備える構成であっても照明状態を一定に保持することができる。
【００７７】
なお、図９に示す構成において、照明装置６７に替えて図１１に示す照明装置３０２、あるいは図１６に示す照明装置３０３を用いても良い。この場合には、照明装置３０２，３０３とステージ２０との間に第１の光学フィルター６３に相当する光学フィルタを備える。
【符号の説明】
【００７８】
１  …  顕微鏡撮影ユニット
２，５０，６０  …  光学系保持筐体
２Ｂ  …  支持面（支持部）
３  …  取付アダプター
４  …  撮影対象物保持手段
５，６  …  全反射ミラー（結像光路折曲手段）
８  …  雌ねじ（対物レンズ取付手段）
１０  …  移動機構（移動手段）
２８  …  突起部（支持部）
５２  …  全反射ミラー（結像光路折曲手段）
５３  …  ハーフミラー（結像光路折曲手段）
６２  …  ダイクロイックミラー（結像光路折曲手段）
６３  …  第１の光学フィルター
６４  …  第２の光学フィルター
６５  …  全反射ミラー（結像光路折曲手段）
１００  …  対物レンズ
１０２  …  結像光路
２００  …  一眼カメラ
Ｌ１  …  撮影光軸
Ｌ３  …  結像光軸
【図１】
2016133551.tif 000003
【図２】
2016133551.tif 000004
【図３】
2016133551.tif 000005
【図４】
2016133551.tif 000006
【図５】
2016133551.tif 000007
【図６】
2016133551.tif 000008
【図７】
2016133551.tif 000009
【図８】
2016133551.tif 000010
【図９】
2016133551.tif 000011
【図１０】
2016133551.tif 000012
【図１１】
2016133551.tif 000013
【図１２】
2016133551.tif 000014
【図１３】
2016133551.tif 000015
【図１４】
2016133551.tif 000016
【図１５】
2016133551.tif 000017
【図１６】
2016133551.tif 000018